(57)【要約】【課題】信号同士の干渉がなく、かつ、セキュアな通信を行う。【解決手段】信号伝達システム１００は、シート状発信器２０とスマートフォン１０とを備える。シート状発信器２０のビーコン２５は、信号を発信する。シート状発信器２０のシート状導体２１は、開孔を有し、ビーコン２５が発信した信号を、その開孔から近接場に浸出させる。スマートフォン１０の信号受信部は、開孔から近接場に浸出した信号を受信する。スマートフォン１０のアプリケーション実行部は、受信した信号に基づいて、所定処理を実行する。【選択図】図１
2016129324.tif 000002
【特許請求の範囲】
【請求項１】
信号を発信する無線発信器と、
少なくとも一方が開孔を有する２層のシート状導体で形成され、前記無線発信器が発信した信号を、前記開孔から近接場に浸出させる信号伝達媒体と、を備えた信号伝達装置と、
前記開孔から近接場に浸出した信号を受信する受信手段と、
前記受信手段が受信した信号に基づいて、所定処理を実行する実行手段と、を備えた信号処理装置と、
を備えたことを特徴とする信号伝達システム。
【請求項２】
前記信号伝達装置は、前記信号伝達媒体を形成する２層のシート状導体間に、誘電体を備えた、
ことを特徴とする請求項１に記載の信号伝達システム。
【請求項３】
前記無線発信器は、前記誘電体の一部を切り欠いてできた空隙に設置される、
ことを特徴とする請求項２に記載の信号伝達システム。
【請求項４】
前記信号伝達装置は、前記無線発信器に電源供給する電源を備えた、
ことを特徴とする請求項１乃至３の何れか一項に記載の信号伝達システム。
【請求項５】
前記開孔を有する一方のシート状導体は、メッシュ状又は螺旋状である、
ことを特徴とする請求項１乃至４の何れか一項に記載の信号伝達システム。
【請求項６】
前記無線発信器は、Bluetooth（登録商標） Low Energy（ＢＬＥ）に準拠した信号を発信するビーコンである、
ことを特徴とする請求項１乃至５の何れか一項に記載の信号伝達システム。
【請求項７】
前記信号処理装置は、前記受信手段が受信した信号が示す前記無線発信器の識別情報と、所定処理と、を対応付けて記憶する記憶手段を備え、
前記実行手段は、前記識別情報に対応付けられた所定処理を実行する、
ことを特徴とする請求項１乃至６の何れか一項に記載の信号伝達システム。
【請求項８】
前記実行手段は、前記所定処理として、飲食店における注文用の注文アプリケーションの起動処理を実行する、
ことを特徴とする請求項７に記載の信号伝達システム。
【請求項９】
前記信号処理装置は、前記受信手段が受信した信号が示す前記無線発信器の識別情報に対応付けられた所定処理を問い合わせる問合手段を備え、
前記実行手段は、前記問合手段が問い合わせた所定処理を実行する、
ことを特徴とする請求項１乃至６の何れか一項に記載の信号伝達システム。
【請求項１０】
前記信号処理装置は、前記受信手段が受信した信号の信号強度を測定する測定手段を備え、
前記実行手段は、前記測定手段が測定した信号強度に応じて異なる処理を実行する、
ことを特徴とする請求項１乃至６の何れか一項に記載の信号伝送システム。
【請求項１１】
前記信号処理装置は、前記受信手段が受信した信号が示す前記無線発信器の識別情報と、位置を特定する位置情報と、を対応付けて記憶する記憶手段を備え、
前記実行手段は、前記識別情報に対応付けられた位置情報に基づいて処理を実行する、
ことを特徴とする請求項１乃至６の何れか一項に記載の信号伝達システム。
【請求項１２】
前記実行手段は、前記位置情報に基づいて、注文確定処理、決済処理又は着席通知処理のうち、少なくとも何れか１つの処理を実行する、
ことを特徴とする請求項１１に記載の信号伝達システム。
【請求項１３】
前記信号処理装置は、無線通信端末である、
ことを特徴とする請求項１乃至１２の何れか一項に記載の信号伝達システム。
【請求項１４】
信号を発信する無線発信器と、
少なくとも一方が開孔を有する２層のシート状導体で形成され、前記無線発信器が発信した信号を、前記開孔から近接場に浸出させる信号伝達媒体と、
を備えたことを特徴とする信号伝達装置。
【発明の詳細な説明】
【技術分野】
【０００１】
この発明は、信号伝達システム及び信号伝達装置に関する。
【背景技術】
【０００２】
従来から、無線発信器であるビーコンから発信される信号を受信して、位置や距離を測定する技術が知られている。
近時、ビーコンから発信される信号を利用して、信号を受信したスマートフォンにサービスを提供する技術が実用化されている。
【０００３】
例えば、特許文献１には、ビーコンから発信される信号を受信したスマートフォンの表示画面に、店舗施設などのクーポン付きページを表示する技術が開示されている。
【先行技術文献】
【特許文献】
【０００４】
【特許文献１】国際公開第２０１４／０９７９６８号
【発明の概要】
【発明が解決しようとする課題】
【０００５】
ところで、一般的にビーコンは、信号を三次元空間に放射する。このため、悪意の第三者により信号を傍受されて不正利用されるおそれがある。
【０００６】
また、複数のビーコンから発信される信号同士の干渉により、スマートフォンとビーコンとの間の通信が切断されるおそれがある。
【０００７】
また、複数のビーコンから同時に信号を受信したスマートフォンなどは、ビーコンを特定するための特定処理をしなければならず、処理負担をかけることになる。
【０００８】
このようなことから、ビーコンを用いた信号伝達では信号同士の干渉がなく、かつ、セキュアな通信が求められている。
【０００９】
そこで、本発明は、このような事情に鑑みてなされたものであり、信号同士の干渉がなく、かつ、セキュアな通信を行う信号伝達システム及び信号伝達装置を提供することを目的とする。
【課題を解決するための手段】
【００１０】
本発明の第１の観点に係る信号伝達システムは、
信号を発信する無線発信器と、
少なくとも一方が開孔を有する２層のシート状導体で形成され、前記無線発信器が発信した信号を、前記開孔から近接場に浸出させる信号伝達媒体と、を備えた信号伝達装置と、
前記開孔から近接場に浸出した信号を受信する受信手段と、
前記受信手段が受信した信号に基づいて、所定処理を実行する実行手段と、を備えた信号処理装置と、
を備えたことを特徴とする。
【００１１】
また、前記信号伝達装置は、前記信号伝達媒体を形成する２層のシート状導体間に、誘電体を備えてもよい。
また、前記無線発信器は、前記誘電体の一部を切り欠いてできた空隙に設置してもよい。
また、前記信号伝達装置は、前記無線発信器に電源供給する電源を備えてもよい。
【００１２】
また、前記開孔を有する一方のシート状導体は、メッシュ状又は螺旋状にしてもよい。
また、前記無線発信器は、Bluetooth（登録商標） Low Energy（ＢＬＥ）に準拠した信号を発信するビーコンにしてもよい。
また、前記信号処理装置は、前記受信手段が受信した信号が示す前記無線発信器の識別情報と、所定処理と、を対応付けて記憶する記憶手段を備え、
前記実行手段は、前記識別情報に対応付けられた所定処理を実行してもよい。
また、前記実行手段は、前記所定処理として、飲食店における注文用の注文アプリケーションの起動処理を実行してもよい。
【００１３】
また、前記信号処理装置は、前記受信手段が受信した信号が示す前記無線発信器の識別情報に対応付けられた所定処理を問い合わせる問合手段を備え、
前記実行手段は、前記問合手段が問い合わせた所定処理を実行してもよい。
また、前記信号処理装置は、前記受信手段が受信した信号の信号強度を測定する測定手段を備え、
前記実行手段は、前記測定手段が測定した信号強度に応じて異なる処理を実行してもよい。
【００１４】
また、前記信号処理装置は、前記受信手段が受信した信号が示す前記無線発信器の識別情報と、位置を特定する位置情報と、を対応付けて記憶する記憶手段を備え、
前記実行手段は、前記識別情報に対応付けられた位置情報に基づいて処理を実行してもよい。
また、前記実行手段は、前記位置情報に基づいて、注文確定処理、決済処理又は着席通知処理のうち、少なくとも何れか１つの処理を実行してもよい。
また、前記信号処理装置は、無線通信端末にしてもよい。
【００１５】
本発明の第２の観点に係る信号伝達装置は、
信号を発信する無線発信器と、
少なくとも一方が開孔を有する２層のシート状導体で形成され、前記無線発信器が発信した信号を、前記開孔から近接場に浸出させる信号伝達媒体と、
を備えたことを特徴とする。
【発明の効果】
【００１６】
本発明によれば、信号同士の干渉がなく、かつ、セキュアな通信を行うことができる。
【図面の簡単な説明】
【００１７】
【図１】本発明の実施形態に係る信号伝達システムの構成を説明するための図であり、（Ａ）は平面図、（Ｂ）はＡ−Ａ線の断面図である。
【図２】図１に示したスマートフォンの構成を示す図である。
【図３】ＩＤ管理テーブルの一例を示す図である。
【図４】信号処理の流れを示すフローチャートを示す図である。
【図５】信号伝達システムの利用例を示す図である。
【図６】信号伝達システムの別の利用例を示す図である。
【図７】信号伝達システムのさらに別の利用例を示す図である。
【図８】位置特定テーブルの一例を示す図である。
【図９】シート状導体が螺旋状である場合の例を示す図である。
【図１０】着席通知済みであることを示すメッセージ例を示す図である。
【図１１】アプリ位置テーブルの一例を示す図である。
【図１２】注文確定済みであることを示すメッセージ例を示す図である。
【発明を実施するための形態】
【００１８】
以下、この発明の実施形態に係る信号伝達システムについて図１（Ａ）及び（Ｂ）を参照して説明する。
【００１９】
図１（Ａ）に示すように、この信号伝達システム１００は、信号伝達装置としてのシート状発信器２０と、信号処理装置の一例としてのスマートフォン１０と、を備える。
【００２０】
この信号伝達システム１００では、シート状発信器２０のシート表面に局在化した信号をスマートフォン１０が受信することで信号伝達を行う。なお、この実施形態において、シート状とは、２次元の面としての広がりを持ち、厚さが薄いものであって、例えば、メッシュ状、螺旋状、フィルム状などを含む概念である。
【００２１】
ここで、シート状発信器２０は、メッシュ状のシート状導体２１と、発泡ポリオレフィンで形成された誘電体２３と、シート状導体２１に対向して配置されるシート状導体２２と、の３層構造である。この実施形態では、シート状導体２１とシート状導体２２は、アルミのラミネートで形成される。これらシート状導体２１、２２は信号伝達媒体であり、信号伝達の機能を備える。なお、シート状導体２１の上面には、水をこぼした場合などに備えて塩化ビニルなどの保護シート２４が貼り付けられている。
【００２２】
また、図１（Ｂ）に示すように、シート状発信器２０は、誘電体２３の一部を切り欠いてできた空隙に無線発信器であるビーコン２５と、このビーコン２５に対して電源供給する内蔵電源２６と、が固定設置される。なお、固定設置の手法は任意であるが、例えば、両面テープで固定することができる。
【００２３】
このビーコン２５は、消費電力を抑えた近距離無線通信規格であるBluetooth（登録商標）low energy（以下、ＢＬＥという）に準拠した信号を発信する。この信号は、ビーコン２５を一意に識別するためのユニークな識別情報（ＩＤ）を示す信号である。
【００２４】
内蔵電源２６は、ボタン型電池であって、例えば、リチウム電池である。ビーコン２５は消費電力を抑えたＢＬＥに基づくので、内蔵電源２６により少なくとも１年間は連続駆動可能である。
【００２５】
この実施形態では、ビーコン２５が発信した信号が伝搬していきメッシュ状のシート状導体２１の開孔から染み出す（侵出する）。このことは、換言すると、ＢＬＥのマイクロ波の波動がシート状導体２１とシート状導体２２との間を伝わっていき、その際、マイクロ波が開孔のあるシート状導体２１表面ごく近傍（近接場）に漏れ出す。この漏れ出す近接場の領域が図中破線で示す浸出領域２７である。これにより、ビーコン２５から発信される信号を浸出領域２７に局在化させる。なお、ビーコン２５が発信した信号は、シート状導体２２側ではシールドされるのでシート状導体２１側に強く信号が浸出する。
【００２６】
ここで、一例として、この実施形態のシート状発信器２０におけるシート状導体２１、誘電体２３、シート状導体２２それぞれのサイズを４０ｃｍ×３０ｃｍとして構成することができる。また、アルミのラミネートで形成されたシート状導体２１とシート状導体２２それぞれの厚さを３２μｍ、発泡ポリオレフィンで形成された誘電体２３の厚さを約２ｃｍとして構成することができる。シート状導体２１及び２２は、アルミのラミネート形成に限られず、銅、銀、ニッケル等の金属箔、めっき、蒸着、プリント等でもよい。
【００２７】
なお、誘電体２３は、発泡ポリオレフィンに限らず他の種類（例えば、ポリエステル、ポリアミド、芳香族ポリアミドなど）で構成してもよく、誘電体２３に代えて絶縁体（例えば、ガラスエポキシ素材）を用いてもよい。また、誘電体２３は、シートに限らず、織物、編物、湿式不織布、乾式不織布などの繊維構造体で構成してもよい。また、誘電体２３自体用いずに、シート状導体２１、２２間にビーコン２５と内蔵電池２６とが設置できる限り、空気であってもよい。
【００２８】
さらに、誘電体２３は、周波数８００ＭＨｚ〜１０ＧＨｚにおける比誘電率が１．０〜１５、好ましくは、１．０〜５．０、好ましくは、１．０〜３．０である。また、誘電体は、オレフィン樹脂（ＴＰＯ）やスチレン樹脂（ＳＢＣ）、塩ビ樹脂（ＴＰＶＣ）、ウレタン樹脂（ＰＵ）、エステル樹脂（ＴＰＥ）、アミド樹脂（ＴＰＡＥ）、フッ素化樹脂（ＰＴＦＥ）、エポキシ樹脂、フェノール樹脂、ポリフェニレンエーテル樹脂などで構成しても良い。
【００２９】
特に、比誘電率や加工性を考慮し、ポリエチレン（ＰＥ）やポリプロピレン（ＰＰ）といったポリオレフィン、ポリエチレンテレフタレート（ＰＥＴ）、ポリエチレンナフタレート（ＰＥＮ）、ポリブチレンテレフタレート（ＰＢＴ）、ポリトリメチレンテレフタレート（ＰＴＴ）といったポリエステル、ポリイミド（ＰＩ）が好ましく、特にポリエステル、ポリオレフィンが好ましい。
【００３０】
また、誘電体２３は、多孔質素材であることが好ましく、例えば、空隙率５０〜８５％の発泡ポリエチレンや発泡ポリプロピレンなどが挙げられる。シートが多孔質素材であることにより、シートの空隙率が上がり、比誘電率が１に近づくため、安定した通信性能を得ることができる。多孔質な素材であれば、連続発泡でも独立発泡でも構わない。
【００３１】
次に、図２を参照しながら、スマートフォン１０について説明する。
スマートフォン１０は、制御部１１、記憶部１２、無線通信部１３、アンテナ１４、ドライバ１５、表示部１６、タッチパネル１７及びスピーカ１８を備える。
【００３２】
制御部１１は、ＣＰＵ（Central Processing Unit）、ＲＯＭ(Read Only Memory)、ＲＡＭ(Random Access Memory)などによって構成される。制御部１１は、ＲＯＭに記憶されたプログラム（例えば、後述する信号処理を実現するためのプログラム）に従ってソフトウェア処理を実行することにより、スマートフォン１０が具備する各種機能を制御する。
【００３３】
記憶部１２は、不揮発性メモリもしくはＨＤＤ(Hard Disk Drive)から構成され、データやテーブル（後述するＩＤ管理テーブル）を記憶する。
【００３４】
無線通信部１３は、例えば無線周波数回路やベースバンド回路などにより構成される。無線通信部１３は、アンテナ１４を介して、ＢＬＥに基づく無線信号の送信及び受信を行う。
【００３５】
ドライバ１５は、制御部１１から出力された画像データに基づく画像信号を表示部１６へ出力する。表示部１６は、例えば、ＬＣＤ（Liquid Crystal Display）、ＥＬ（Electroluminescence）ディスプレイ等によって構成される。表示部１６は、ドライバ１５から出力された画像信号に従って画像（例えば、アプリケーション画面）を表示する。
【００３６】
タッチパネル１７は、表示部１６の上面に配置され、ユーザの操作内容を入力するために用いられるインタフェースである。タッチパネル１７は、例えば図示しない透明電極を内蔵し、ユーザの指等が接触した場合に、電圧が変化した位置を接触位置として検出し、その接触位置の情報を入力指示として制御部１１へ出力する。
【００３７】
スピーカ１８は、制御部１１からの音声データに基づいて、アラーム等の音声を出力する。
【００３８】
次に、制御部１１の機能的構成について説明する。図２に示すように、制御部１１は、信号受信部１１１及びアプリケーション実行部１１２として機能する。
【００３９】
信号受信部１１１は、シート状導体２１のシート表面に局在化した信号を受信する。具体的には、信号受信部１１１は、メッシュの開孔から浸出領域２７に浸出した信号を、無線通信部１３を介して受信する。なお、信号受信部１１１は、受信手段に相当する。
【００４０】
アプリケーション実行部１１２は、信号受信部１１１が受信した信号に基づいて、所定処理を実行する。具体的には、アプリケーション実行部１１２は、記憶部１２が記憶するＩＤ管理テーブルを参照して、受信した信号が示すビーコン２５のＩＤに対応付けられたアプリケーションを実行する。なお、アプリケーション実行部１１２は、実行手段に相当する。
【００４１】
ＩＤ管理テーブルは、図３に示すように、ビーコンを識別するＩＤとアプリケーションとを対応付けたテーブルである。例えば、ビーコン２５のＩＤが１であれば、アプリケーション実行部１１２は、アプリケーションＡを実行する。なお、このＩＤ管理テーブルは、シート状発信器２０を利用したサービスを提供するサービス提供者のサーバ等にアクセスして予めスマートフォン１０にダウンロードしておく。
【００４２】
次に、スマートフォン１０が行う信号処理について図４を参照しながら説明する。
【００４３】
まず、信号受信部１１１は、信号を受信したか否か判定する（ステップＳ１１）。ユーザがスマートフォン１０を浸出領域２７に近づけない間、信号受信部１１１は、信号を受信しない（ステップＳ１１；Ｎｏ）。
【００４４】
一方で、ユーザがスマートフォン１０を浸出領域２７内に入れた場合、つまり、スマートフォン１０がシート状発信器２０の上に置かれたか、浸出領域２７内の空中で保持された場合、信号受信部１１１は、信号を受信する（ステップＳ１１；Ｙｅｓ）。
【００４５】
次に、アプリケーション実行部１１２は、信号が示すＩＤに対応するアプリケーションを特定する（ステップＳ１２）。具体的には、アプリケーション実行部１１２は、受信した信号が示すＩＤに対応するアプリケーションを、ＩＤ管理テーブルを参照して特定する。
【００４６】
次に、アプリケーション実行部１１２は、特定したアプリケーションを実行する（ステップＳ１３）。例えば、アプリケーション実行部１１２は、信号が示すビーコン２５のＩＤが１の場合、特定したアプリケーションＡを実行する。例えば、アプリケーションＡが音楽アプリである場合、アプリケーション実行部１１２は、音楽をスピーカ１８から鳴らす。
【００４７】
ステップＳ１３の後、信号処理を終了する。なお、この信号処理においては、予めスマートフォン１０がＩＤ管理テーブルを記憶していることを前提に説明したが、これに限られない。例えば、ＩＤ管理テーブルをサービス事業者側のサーバ等（例えば、クラウド上のサーバ）に記憶しておき、アプリケーション実行部１１２は、信号が示すＩＤに対応付けられたアプリケーションをサーバ等に問い合わせてもよい。そして、アプリケーション実行部１１２は、問い合わせたアプリケーションを実行すればよい。
【００４８】
次に、信号伝達システム１００を利用した具体例について図５乃至図７を参照しながら説明する。図５は、信号伝達システム１００を会議に利用した具体例であって、会議室のテーブル上に予めシート状発信器２０が置かれている場面を想定している。
【００４９】
ユーザがスマートフォン１０やタブレット端末３０をシート状発信器２０に置いたとする。すると、スマートフォン１０とタブレット端末３０は、それぞれシート状発信器２０からのビーコン２５の信号を受信して、ビーコン２５のＩＤに対応付けられたアプリケーションを実行する。この場面では、アプリケーションは機密文書の文書アプリであり、その文書アプリが実行されると、図５に示すように、それぞれの表示画面に機密文書が表示される。
【００５０】
ユーザがスマートフォン１０やタブレット端末３０をシート状発信器２０から取り去ると機密文書の表示が消える。
このように、会議において文書配布ができない（配布しても回収しなければならない）機密文書などを、信号伝達システム１００によりその場で表示してシェア閲覧することができる。
【００５１】
次に、図６は、信号伝達システム１００を複数人同時参加型のゲーム対戦イベントに利用した場合の具体例を示す。図６は、ゲーム大会の会場の各テーブル上に予めシート状発信器２０が置かれている場面を想定している。
【００５２】
ユーザが複数のスマートフォン１０、１０’、１０’’をシート状発信器２０に置いたとする。すると、複数のスマートフォン１０、１０’、１０’’は、それぞれシート状発信器２０からのビーコン２５の信号を受信して、ビーコン２５のＩＤに対応付けられたアプリケーションを実行する。
【００５３】
この場面では、アプリケーションは、同時対戦型のゲームアプリであり、そのゲームアプリが実行されると、図６に示すように、それぞれの表示画面にエントリー画面が表示される。テーブル毎にゲームアプリの対戦フィールドを異ならせることで、各テーブルのユーザは同時に異なる対戦フィールドで対戦を楽しむことができる。
【００５４】
次に、図７は、信号伝達システム１００を充電に利用した場合の具体例を示す。この場合、シート状発信器２０は、外部装置（図ではスマートフォン１０）に給電するための内蔵電極からなる給電部を備え、この給電部に電力を供給する外部電源５０をシート状発信器２０の背面の端子から接続しておく。
【００５５】
ユーザがスマートフォン１０をシート状発信器２０に置いたとする。すると、スマートフォン１０の内蔵電極と、シート状発信器２０の給電部の内蔵電極と、が容量結合して、図７に示すように、スマートフォン１０が充電される。このため、シート状発信器２０はスマートフォン１０に無接点で給電することができる。なお、ビーコン２５用の内蔵電源２６の電力が給電用に十分であれば、外部電源５０に代えて内蔵電源２６を用いてもよい。
【００５６】
以上、図１乃至図７を参照しながら説明した信号伝達システム１００では、ビーコン２５を内蔵したシート状発信器２０において、信号伝達媒体を形成する２層のシート状導体２１及び２２を備える。そして、一方のシート状導体２１がメッシュ状であり、開孔から信号を近接場である侵出領域２７に侵出させる。
【００５７】
このため、ビーコン２５の信号が３次元空間に放射されることがない。換言すれば、ビーコン２５の信号をシート状導体２１の２次元のシート面上に分布することができる。このため、悪意の第三者により信号を傍受されて不正利用されるおそれがなく、かつ、複数のビーコンから発信される信号同士の干渉もない。したがって、この信号伝達システム１００によれば、信号同士の干渉を抑えつつ、セキュアな通信を行うことができる。
【００５８】
また、信号処理装置であるスマートフォンは、同時に複数のビーコンから信号を受信することがないので、ビーコンを特定するための処理が不要となり、処理負担を軽減することができる。
【００５９】
また、Ｆｅｌｉｃａ（登録商標）やＳｕｉｃａなどのＮＦＣ（Near Field Communication）に準拠した非接触ＩＣカードは、カードリーダに至近距離でかざす必要があり、一点に限った信号伝達となる。この信号伝達システム１００によれば、一点に限った信号伝達を面に拡張することができるので、複数の信号処理装置に対して同時に信号伝達を行うことができる。
【００６０】
なお、この実施形態においては、信号伝達媒体を形成する２層のシート状導体２１及び２２のうち、一方がメッシュ状で開孔を有し、信号を近接場に浸出させる（つまり、一方のみが信号伝達を行う）ことを前提に説明したが、これに限られない。例えば、開孔を有さない他方のシート状導体２２もメッシュ状にして開孔を備えてもよい。これによれば、信号伝達媒体の両面にビーコン２５の信号を浸出させることができるので（浸出領域２７を他面にも形成できるので）、信号伝達の範囲を拡張することができる。
また、この発明は、上記実施形態に限定されず、種々の変形及び応用が可能である。
【００６１】
（変形例１）
例えば、上記実施形態においては、ＩＤ管理テーブルは、ＩＤとアプリケーションとを対応付けていたが、これに限られない。例えば、ＩＤと位置情報とを対応付けておき（図８参照）、その位置情報に応じた処理をスマートフォン１０が実行してもよい。
【００６２】
例えば、シート状発信器２０を特定場所に予め設置しておき、スマートフォン１０がビーコン２５のＩＤを受信すると、アプリケーション実行部１１２は、そのＩＤに対応する位置情報を、位置特定テーブルを参照して特定し、その特定した位置情報に基づいた処理を実行する。
【００６３】
この処理としては、例えば、緯度経度情報や地図上における現在位置情報をスマートフォン１０の表示画面に表示する、あるいは、その位置情報にある店舗のクーポンを表示画面に表示することが考えられる。
これにより、ＧＰＳ機能を用いることが困難な場所（例えば、屋内や地下など）でも位置情報に基づく場所特定型のサービスをユーザに提供することができる。
【００６４】
（変形例２）
変形例１では、シート状発信器２０から発信されたＩＤを受信したスマートフォン１０による位置情報の処理として、地図上における現在位置情報の表示などを例にとって説明したが、これに限られない。例えば、スマートフォン１０は、シート状発信器２０から発信されたＩＤに対応する位置情報に基づいて、着席通知処理を行うことができる。
【００６５】
この場合、教室や塾の机毎にシート状発信器２０を敷設しておく。そして、机毎に敷設したシート状発信器２０それぞれのビーコン２５が発信するＩＤを異ならせる。例えば、机１ではビーコンＩＤ１を発信させ、机２ではビーコンＩＤ２を発信させるといった具合に机毎に発信されるビーコンＩＤを異ならせておく。
【００６６】
ここで、スマートフォン１０を持った生徒が机１に座って、そのスマートフォン１０をシート状発信器２０の上に置いたとする。すると、スマートフォン１０の信号受信部１１１は、ビーコンＩＤ１を受信する。続いて、スマートフォン１０のアプリケーション実行部１１２は、図８に示すＩＤ１に対応する位置情報ａ（机１の場所を示す位置情報）に基づく処理、すなわち机１の着席通知処理を行う。
【００６７】
この着席通知処理により、教師が持っている端末（例えば、ＰＣやタブレット端末）に直接、あるいはクラウド環境にあるサーバを介して上記端末に間接的に着席通知がなされる。通知終了後、例えば、図１０に示すようにスマートフォン１０の端末画面に着席通知済みであることを示すメッセージ「着席通知済み」を表示する。
【００６８】
これによれば、教師は教室内の生徒全員に対して個別に着席の確認、すなわち出席確認をする必要がないので、手間を省くことができる。なお、着席通知に加えて、ビーコンＩＤの受信をトリガとして、スマートフォン１０が宿題の進捗状況を管理するアプリケーションを起動するようにしてもよい。これにより、生徒は、スマートフォン１０により着席通知できると同時に、宿題提出の有無を教師の端末に送信することができる。このため、教師は生徒毎の進捗状況に応じて、適当な宿題を勧める（あるいは、宿題のアプリを生徒のスマートフォン１０に送信してインストールさせるといった）ことができる。
【００６９】
（変形例３）
上述した実施形態では、信号伝達システム１００を利用した具体例について会議室、ゲーム大会、スマートフォン１０の充電を例にとって説明したが、これに限られない。例えば、信号伝達システム１００を飲食店（レストランや居酒屋など）に利用することができる。
【００７０】
この場合、飲食店内のテーブル毎にシート状発信器２０を敷設しておく。そして、テーブル毎のシート状発信器２０のビーコン２５それぞれが発信するＩＤを異ならせる。例えば、テーブル１ではビーコンＩＤ１を発信させ、テーブル２ではビーコンＩＤ２を発信させるといった具合にテーブル毎に発信されるビーコンＩＤを異ならせる。一方、スマートフォン１０は、事前に図１１に示すアプリ位置テーブルを記憶部１２に記憶しておく。
【００７１】
このアプリ位置テーブルは、各テーブルが発信するＩＤ（図中の例では、テーブル１、２、３それぞれに敷設されたシート状発信器２０が発信するＩＤ１、２、３）にアプリケーションと位置情報とを対応付けたテーブルである。
【００７２】
アプリケーションはＩＤ１乃至３に共通する注文アプリケーションである。この注文アプリケーションは、飲食店における注文用のアプリケーションである。位置情報は、ＩＤ１乃至３それぞれに対応するテーブルの位置を示す情報（テーブル１Ｐ乃至３Ｐ）である。ＰはＰｏｓｉｔｉｏｎ（位置）の頭文字であって、例えば、テーブル１の位置情報は、テーブル１Ｐとなる。
【００７３】
ここで、ユーザが飲食店に入店して、テーブル１に座って、テーブル１に敷設されたシート状発信器２０上にスマートフォン１０を置いたとする。すると、スマートフォン１０の信号受信部１１１は、ビーコンＩＤ１を受信する。続いて、アプリケーション実行部１１２は、アプリ位置テーブルを参照して、ＩＤ１に対応付けられた注文アプリケーションの起動処理を実行する。なお、この注文アプリケーションは、事前にスマートフォン１０にインストールされており、そのインストール時にアプリ位置テーブルも同時に記憶部１２に記憶されているものとする。
【００７４】
この注文アプリケーションの起動により、ユーザは、スマートフォンの表示部１６を見ながら飲食店で提供されるメニューの閲覧、注文等を行うことができる。そして、ユーザが注文アプリケーションを用いて注文を確定したとする。すると、スマートフォン１０のアプリケーション実行部１１２は、アプリ位置テーブルを参照して、ＩＤ１に対応付けられた位置情報テーブル１Ｐに基づいて、注文確定処理を実行する。
【００７５】
この注文確定処理によりテーブル１の位置情報であるテーブル１Ｐと、注文内容と、を含む注文確定情報が、飲食店の端末（ＰＣやタブレット端末など）に直接、あるいはクラウド環境にあるサーバを介して間接的に上記端末に通知される。この注文確定処理の後、例えば、図１２に示すようにスマートフォン１０の端末画面に注文が確定したことを示すメッセージ「オーダ済み」が表示される。
【００７６】
また、スマートフォン１０のアプリケーション実行部１１２は、注文確定処理の実行と同時に、位置情報であるテーブル１Ｐに基づいて、決済処理を実行する。この決済処理により、確定した注文に対する決済が、例えば注文アプリケーションインストール時にユーザが設定したクレジットカード情報等を用いてなされると同時に、テーブル１Ｐから位置特定されるテーブル１の決済内容が上記端末に通知される。
【００７７】
以上、変形例３に係る飲食店での信号伝達システム１００の利用例によれば、店員に依らずにスマートフォン１０から注文を確定することができるだけでなく、同時に決済を完了することができる。したがって、飲食店における人件費を削減できるとともに、キャッシュオンデリバリーを実現することができる。
【００７８】
なお、上述した変形例３では、ユーザが飲食店に入店後に注文アプリケーションを使用する場合を例にとって説明した。すなわち、テーブルに敷設されたシート状発信器２０上にユーザがスマートフォン１０を置くと、それをトリガにスマートフォン１０の注文アプリケーションが自動で起動される場合を例にとって説明したが、これに限られない。例えば、ユーザが予め注文アプリケーションを入店前から使用するような場合も想定される。このような場合、ユーザは、予め注文アプリケーションを使って、入店前に注文確定処理、決済処理を済ませておくことができる。つまり、事前オーダ、事前決済を済ませた上で飲食店に入店することができる。
【００７９】
以下では、ユーザが事前オーダ、事前決済を済ませた場合における信号伝達システム１００の利用例について説明する。事前オーダと事前決済を済ませたユーザが飲食店に入店後、例えば、テーブル１に敷設されたシート状発信器２０にスマートフォン１０を置いたとする。すると、シート状発信器２０のビーコン２５から発信されるＩＤ１をスマートフォン１０の信号受信部１１１が受信する。
【００８０】
続いて、スマートフォン１０のアプリケーション実行部１１２は、アプリ位置テーブルを参照して、ＩＤ１に対応するテーブル１の位置情報（テーブル１Ｐ）に基づく着席通知処理を行う。この着席通知処理は、テーブル１の椅子にユーザが着席したことを通知する処理である。この着席通知処理により、テーブル１にユーザが着席したことを示す通知が、飲食店の端末（ＰＣやタブレット端末など）に直接、あるいはクラウド環境にあるサーバを介して間接的に飲食店の端末に通知される。
【００８１】
これによれば、上記変形例２における生徒の着席通知と同様に、飲食店でもテーブル毎の着席通知を行うことができる。このため、ユーザは、入店をウェイター等に知らせる必要がなく、事前オーダした注文が来るのを待てばよい。したがって、この信号伝達システム１００の着席通知の利用例によれば、入店から飲食までにかかる時間を大幅に短縮することができる。
【００８２】
また、上記実施形態では、スマートフォン１０（信号処理装置）の信号受信部１１１は、単に、浸出領域２７の信号を受信するようにしたが、これに限られない。例えば、スマートフォン１０は、開孔から染み出したビーコン２５の信号強度（マイクロ波の電波強度）を利用するために、その信号強度を測定する測定部を備えてもよい。
そして、アプリケーション実行部１１２は、測定部が測定した信号強度に応じて異なる処理（例えば、所定のアプリケーションを実行したりしなかったり、あるいは、異なるアプリケーションの実行）をする。これによれば、信号強度を利用してサービスにバリエーションをもたせることができる。また、信号強度に応じて異なる処理（特に、所定のアプリケーションの実行有無のコントロール）をするので、例えば、信号強度が閾値未満で弱ければ表面認証は行わない（所定のアプリケーションを実行しない）、信号強度が閾値以上で強ければ表面認証を行う（所定のアプリケーションを実行する）、といった実装が可能となる。
【００８３】
また、シート状発信器２０のサイズ、形状、設置環境などでビーコン２５が発信する信号強度を異ならせることもできる。例えば、シート状発信器２０のサイズの大小、形状の違い（正方形や星形など）、設置環境の違い（例えば、ゲームセンターやショッピングセンターなど）で発信する信号強度を変えるようにする。これによれば、シート状発信器２０のサイズ、形状、設置環境に応じて異なるサービスをスマートフォン１０のユーザに提供することができる。
また、シート状発信器２０のサイズ、形状、設置環境は同じでも、例えば５段階でビーコン２５の発信する信号強度を変えられるようにしておく。これによれば、シート状発信器２０を使ったサービスを提供するサービス事業者（又はシート状発信器２０をサービス事業者に納入する納入業者）が提供するサービスに合った設定変更を容易にすることができる。
【００８４】
また、この上記実施形態においては、シート状導体２１はメッシュ状であることを前提に説明したが、これに限られない。要は、ビーコン２５が発信する信号が近接場に染み出る浸出領域２７を作れるような形状であればよく、例えば、シート状導体２１を図９に示すような螺旋状にしてもよい。また、メッシュ状（網目状）の開孔は、正方形に限らず、他の図形（円や菱形）などでも構わない。さらに、上記実施形態ではシールドとして機能させるために平板だったシート状導体２２もシート状導体２１と同形状にしても構わない。
【００８５】
また、この上記実施形態においては、ビーコン２５は、ＢＬＥに基づくマイクロ波の信号を発信することを前提に説明したが、これに限られない。ビーコン２５は、信号処理装置に信号を伝達できる限り、他の周波数帯の信号を発信してもよい。
【００８６】
また、上記実施形態においては、ビーコン２５と内蔵電源２６との設置箇所は、内蔵の便宜上、シート状発信器２０の隅に設置したが、これに限られない。シート面上に均一かつ一様に信号が分布する限り設置場所は特に限定されることなく、シート状発信器２０のどこに設置してもよい。
【００８７】
また、上記実施形態においては、信号処理装置はスマートフォン１０を例にとって説明したが、これに限られない。信号処理装置は、シート状発信器２０からの信号を受信して処理できるものであればよく、例えば、ＰＣ、タブレット端末、ＲＦタグ内蔵型のＩＣカードなどでもよい。
【００８８】
また、上記実施形態においては、ビーコン２５への電源供給は内蔵電源２６であることを前提に説明したが、これに限られない。例えば、内蔵電源２６に代えて外部電源を用いてもいいことはもちろんである。また、内蔵電源２６はボタン電池であることを前提に説明したが、これに限られない。例えば、内蔵電源２６をシート状の薄型電池で構成してもよい。これにより、内蔵電源２６の設置領域を省スペース化することができるので、シート状発信器２０の美観を保つことができる。
【符号の説明】
【００８９】
１０，１０’，１０’’  スマートフォン
１１  制御部
１２  記憶部
１３  無線通信部
１４  アンテナ
１５  ドライバ
１６  表示部
１７  タッチパネル
１８  スピーカ
１１１  信号受信部
１１２  アプリケーション実行部
２０  シート状発信器
２１，２２  シート状導体
２３  誘電体
２４  保護シート
２５  ビーコン
２６  内蔵電源
２７  浸出領域
３０  タブレット端末
５０  外部電源
１００  信号伝達システム
【図１】
2016129324.tif 000003
【図２】
2016129324.tif 000004
【図３】
2016129324.tif 000005
【図４】
2016129324.tif 000006
【図５】
2016129324.tif 000007
【図６】
2016129324.tif 000008
【図７】
2016129324.tif 000009
【図８】
2016129324.tif 000010
【図９】
2016129324.tif 000011
【図１０】
2016129324.tif 000012
【図１１】
2016129324.tif 000013
【図１２】
2016129324.tif 000014